(57)【特許請求の範囲】
【請求項１】
使用者が把持できる持ち手（Ｅ）を有すると共に、前記使用者が持ち手（Ｅ）を手で持って使用するものであり、検知部（２）を座席の座部及び背当て部に接触させながら移動することにより、前記座席の座部及び背当てのどの場所で一定以上の水分率を有しているかを瞬時で判断できるようにした接触式水分検知器であって、装置本体（１）の端部にプラス接点（20）及びマイナス接点（21）をそれぞれ複数個突設させて検知部（２）を構成させてあると共に、全てのプラス接点（20）同士と、全てのマイナス接点（21）同士が、それぞれ電気的接続状態になっており、少なくとも一つのプラス接点（20）とマイナス接点（21）相互間の抵抗値が一定以下になったときに、視覚的に表示状態となる水分検知表示手段（３）を装置本体（１）に設けてあり、前記装置本体（１）の周壁面に１８０°間隔以下で水分検知表示手段（３）を配置させることにより使用時においてどの方向からでも水分検知表示手段（３）が視認し得るようにしてあることを特徴とする接触式水分検知器。
【請求項２】
装置本体（１）の端部に検知部（２）を突設して成り、検知部（２）と成るプラス接点（20）とマイナス接点（21）は、棒体又は板体を並設すると共にその稜線を略Ｕ状又は略円弧状に形成して成ることを特徴とする請求項１記載の接触式水分検知器。
【請求項３】
水分検知表示手段（３）が表示できない状態まで電源（５）の電圧が低下したときには非表示状態となる電源用表示手段（４）を設けてあり、前記電源用表示手段（４）は使用時においてどの方向からでも視認し得るように個数及び位置を設定してあることを特徴とする請求項１又は２記載の接触式水分検知器。
【請求項４】
プラス接点（20）とマイナス接点（21）相互間の抵抗値が一定以下になったときに生ずる検知信号を非正弦波発生回路に入力し、前記非正弦波発生回路から検知信号の発生時間よりも長い時間のパルス信号を発生させ、前記パルス信号の発生時間だけ水分検知表示手段（３）を出力状態にするようにしてあり、前記非正弦波発生回路からのパルス信号の出力時間は、０．１秒〜１．０秒であることを特徴とする請求項１乃至３のいずれかに記載の接触式水分検知器。
【発明の詳細な説明】
【０００１】
【発明の属する技術分野】
この発明は、被検知部表面に検知部を接触させながら移動して、被検知部表面のどの場所で一定以上の水分率を有しているかを瞬時で判断するための接触式水分検知器に関するものである。
【０００２】
この接触式水分検知器は、旅客列車等の座席に水やジュース等のこぼれがあるか否かの検知に使用することができる。
【０００３】
【従来の技術】
水分計測装置は一般に、装置本体の一端部に、二本の短軸から成る検知部を突設して構成されており、検知部である両短軸を被検知部表面に略直角に接触させると、表示部にその面の水分率が針指又はデジタルで表示されるようにしてある。
【０００４】
しかしながら、比較的広い範囲の被検知部表面のいずれかに一定以上の水分率を有する場所があるか否かを瞬時に検知したいような場合、この水分計測装置を用いると非常に作業能率が悪いという問題があった。
▲１▼．目で表示部に示された値を読み取る形式であるから、針指示式メータでは針の振れが安定するまでに時間がかかり、デジタル式においてもＡ／Ｄ変換、水分率演算に数秒程度かかり、いずれを用いても判断に時間を要してしまう。
▲２▼．装置本体に設けられた表示部を使用者側に向けていないと、結果の判断ができない。また、二本の短軸が確実に被検知部表面に接触するように、装置本体を被検知部表面に対して略直角姿勢にしなければならない。
【０００５】
【発明が解決しようとする課題】
そこで、この発明では、▲１▼被検知部表面に一定以上の水分率の場所があるか否かが瞬時に判断でき、▲２▼使用者に対する装置本体の方向、及び被検知部表面に対する装置本体の姿勢があまり拘束されない接触式水分検知器を提供することを課題とする。
【０００６】
【課題を解決するための手段】
（請求項１記載の発明）
この発明は、  使用者が把持できる持ち手Ｅを有すると共に、前記使用者が持ち手Ｅを手で持って使用するものであり、検知部２を座席の座部及び背当て部に接触させながら移動することにより、前記座席の座部及び背当てのどの場所で一定以上の水分率を有しているかを瞬時で判断できるようにした接触式水分検知器であって、装置本体１の端部にプラス接点20及びマイナス接点21をそれぞれ複数個突設させて検知部２を構成させてあると共に、全てのプラス接点20同士と、全てのマイナス接点21同士が、それぞれ電気的接続状態になっており、少なくとも一つのプラス接点20とマイナス接点21相互間の抵抗値が一定以下になったときに、視覚的に表示状態となる水分検知表示手段３を装置本体１に設けてあり、前記装置本体１の周壁面に１８０°間隔以下で水分検知表示手段３を配置させることにより使用時においてどの方向からでも水分検知表示手段３が視認し得るようにしてあることを特徴とする接触式水分検知器。
（請求項２記載の発明）
この発明の接触式水分検知器は、上記請求項１記載の発明に関し、装置本体１の端部に検知部２を突設して成り、検知部２と成るプラス接点20とマイナス接点21は、棒体又は板体を並設すると共にその稜線を略Ｕ状又は略円弧状に形成して成るものとしている。
（請求項３記載の発明）
この発明の接触式水分検知器は、上記請求項１又は２記載の発明に関し、水分検知表示手段３が表示できない状態まで電源５の電圧が低下したときには非表示状態となる電源用表示手段４を設けてあり、前記電源用表示手段４は使用時においてどの方向からでも視認し得るように個数及び位置を設定してある。
（請求項４記載の発明）
この発明の接触式水分検知器は、上記請求項１乃至３のいずれかに記載の発明に関し、プラス接点20とマイナス接点21相互間の抵抗値が一定以下になったときに生ずる検知信号を非正弦波発生回路に入力し、前記非正弦波発生回路から検知信号の発生時間よりも長い時間のパルス信号を発生させ、前記パルス信号の発生時間だけ水分検知表示手段３を出力状態にするようにしてあり、前記非正弦波発生回路からのパルス信号の出力時間は、０．１秒〜１．０秒である。
【０００７】
なお、上記発明の接触式水分検知器の作用・効果については以下の発明の実施の形態の欄で説明する。
【０００８】
【発明の実施の形態】
以下、この発明を実施形態として示した図面に従って説明する。
〔実施形態１〕
図１はこの実施形態の接触式水分検知器Ｗの全体斜視図であり、図２は前記接触式水分検知器Ｗのプラス接点20、マイナス接点21、水分検知表示手段３のＬＥＤ30、電源用表示手段４を構成するＬＥＤの配置を示す図であり、図３は前記接触式水分検知器Ｗに使用されている電気回路図である。
（接触式水分検知器Ｗの構成について）
この接触式水分検知器Ｗは、図１や図３に示すように、装置本体１と、検知部２と、水分検知表示手段３と、電源用表示手段４と、電源５と、しきい値設定器６と、トランジスタ７と、スイッチ８から構成されており、同図に示すように、前記装置本体１の端部にプラス接点20及びマイナス接点21をそれぞれ３個づつ突設させて検知部２，２，２を構成させると共に、全てのプラス接点20同士を、全てのマイナス接点21同士を、それぞれ電気的接続状態にし、少なくとも一つのプラス接点20とマイナス接点21相互間の抵抗値が一定以下になったときには、水分検知表示手段３が視覚的及び聴覚的に表示状態となるようにしてある。
【０００９】
装置本体１は、図１に示すように、合成樹脂で構成された円筒状のものであり、その内部に乾電池収容室10を形成してある。
【００１０】
検知部２は、上述した如く３本のプラス接点20及びマイナス接点21から成るが、前記プラス接点20及びマイナス接点21は図１や図３に示すように被検知部表面に接触する先端部分が球状の導電性金属棒により構成してある。なお、この実施形態では、図２に示すように、プラス接点20とマイナス接点21は交互に且つ六角形状に配置してある。
【００１１】
水分検知表示手段３は被検知部表面が一定以上の水分率であるか否かを、瞬時に視覚的に判断するためのＬＥＤ30と、瞬時に聴覚的に判断するためのブザー31とから構成されており、前記ＬＥＤ30は装置本体１の周壁面に１２０°間隔で（図２に示す）、ブザー31は装置本体１に１８０°間隔で、それぞれ配置させてある。なお、ＬＥＤ30は被検知部表面が一定以上の水分率である場合、つまり少なくとも一つのプラス接点20とマイナス接点21相互間の抵抗値が一定以下である場合には、例えば緑色に点灯するようにしてある。
【００１２】
電源用表示手段４は、赤色に点灯するＬＥＤにより構成してあり、上記水分検知表示手段３が表示できない状態まで電源５の電圧が低下したときには赤色の点灯状態から消灯状態（非表示状態）となるものである。なお、この電源用表示手段４は図１や図２に示すように、装置本体１の周壁面に配置された上記ＬＥＤ30の横に並べて１２０°間隔に配置させてある。
【００１３】
電源５は、図１に示すように、二本の所謂単３の乾電池により構成してあり、乾電池収容室10に収容されている。
【００１４】
しきい値設定器６は、図３に示すように、可変抵抗器により形成してあり、これの抵抗値を変えることにより、水分検知表示手段３が非表示状態から表示状態になる設定値を変えることができるようにしてある。この設定において、空気中の湿度が高い場合においてその湿度の水分率のみで水分検知表示手段３が表示状態にならないようにしておくこと、及び手で触れたときに水分を感じる程度の水分率である場合には水分検知表示手段３が表示状態になるようにしておくことが重要である。
【００１５】
トランジスタ７は、図３に示すようにＮＰＮ型であり、公知の市販されているものが使用されている。
【００１６】
スイッチ８は、押しボタン形式のものであり、図１に示すように、上記装置本体１における接点20，21が設けられている側と反対側の端部に設けてある。なお、このスイッチ８は非押し込み状態から押し込んだときには「ＯＮ」の状態が維持され、前記押し込み状態から再度押し込んだときには非押し込み状態となって「ＯＦＦ」の状態になるようにしてある。
（接触式水分検知器Ｗの使用時の機能について）
▲１▼．被検知部表面が一定の水分率以上にあるか否かは、水分検知表示手段３であるＬＥＤ30が緑色に点灯しているか否か、及びブザー31が鳴っているか否かで判断でき、その判断は瞬時にできる。
▲２▼．水分検知表示手段３であるＬＥＤ30は装置本体１の周壁面に１２０°間隔で配置させてあるから、使用者は前記ＬＥＤ30はどの方向からでも少なくとも一つ視認し得る。つまり、使用者に対する装置本体１の方向は特定方向に拘束されることはなく、使い勝手が非常に良い。
▲３▼．検知部２を構成するプラス接点20及びマイナス接点21は交互に且つ視六角形状に配置してあるから、被検知部表面に対する装置本体の姿勢が直角、鋭角、鈍角でもほぼ確実にプラス接点20及びマイナス接点21が被検知部表面に接触することになる。つまり、被検知部表面に対する装置本体の姿勢があまり拘束されることはなく、使い勝手が非常に良い。
（接触式水分検知器Ｗの使用の態様について）
例えば、旅客列車等の座席に水やジュース等のこぼれがあるか否かの検知に使用する場合、座席の座部及び背当て部に少なくとも一対のプラス接点20及びマイナス接点21が接触するようにしながら接触式水分検知器Ｗを移動させる。
【００１７】
接触式水分検知器Ｗの移動途中において、水等のこぼれがある位置に達すると、ＬＥＤ30が緑色に点灯し、ブザー31が鳴る。
【００１８】
したがって、使用者は、水等のこぼれ及びその位置を瞬時に知ることができ、その部分の乾燥等の処置を施すことができる。
〔実施形態２〕
図４は、この発明の実施形態の接触式水分検知器Ｗの一端部の斜視図である。
【００１９】
この実施形態２の接触式水分検知器Ｗと上記実施形態１のそれとは、ほとんどが同じ構成であるが、装置本体１の一端部の形状及び検知部２において相違している。
【００２０】
すなわち、この実施形態２では、装置本体１の一端部を円錐台形状に形成し、斜面に円環状のプラス接点20、マイナス接点21及びプラス接点20を順に配置すると共に、上端面に凸状のプラス接点20及びマイナス接点21を配置させてある。
【００２１】
したがって、この接触式水分検知器Ｗについても、実施形態１のものと同様に、被検知部表面が一定の水分率以上にあるか否かが瞬時に判断でき、使用者に対する装置本体の方向、及び被検知部表面に対する装置本体の姿勢があまり拘束されない、という機能を有することは明らかである。
〔実施形態３〕
図５は、この発明の実施形態の接触式水分検知器Ｗの全体斜視図である。
【００２２】
この実施形態３の接触式水分検知器Ｗと上記実施形態１のそれとは、ほとんどが同じ構成であるが、装置本体１の一端部の形状及び検知部２において相違している。
【００２３】
すなわち、この実施形態３では、装置本体１の一端部を略球状に形成し、これに多数の半球状のプラス接点20及びマイナス接点21を配置させたものである。よって、この実施形態の接触式水分検知器Ｗについても上記実施形態１、２と同様の機能を有することは明らかである。
〔実施形態４〕
図６は、この発明の実施形態の接触式水分検知器Ｗの一端部の斜視図である。
【００２４】
この実施形態４の接触式水分検知器Ｗと上記実施形態１のそれとは、ほとんどが同じ構成であるが、検知部２においてのみ相違している。
【００２５】
すなわち、この実施形態では、検知部２となるプラス接点20とマイナス接点21は、棒体（板体でもよい）を並設すると共にその稜線を略Ｕ状（略円弧状でもよい）に形成したものとしてある。
〔実施形態５〕
この実施形態は、図７に示すように、Ｔ字形状の持ち手Ｅの横桟ｅに、上記実施形態４の二個の接触式水分検知器Ｗ，Ｗを取り付けたものであるが、このようにすれば、被検知部表面が一定の水分率以上にあるか否かを、広い範囲について一度で判断できる。
【００２６】
この形態は、実施形態１、２、３の接触式水分検知器Ｗを上記のようにしてもよく、持ち手Ｅに取り付ける接触式水分検知器Ｗを三個又はそれ以上としてもよい。
【００２７】
上記の形態を採用した場合、持ち手Ｅの柄の部分に電源である乾電池を収容するようにすればよい。
〔実施形態６〕
この実施形態は、図８に示すように、刷毛Ｈに四本の実施形態４の接触式水分検知器Ｗを設けて水分検知と清掃を同時に行い得るようにしたものであるが、このものでは刷毛Ｈの持ち手に水分検知表示手段３となるＬＥＤ30と、電源用表示手段４となるＬＥＤを設けている。
【００２８】
なお、接触式水分検知器Ｗは、実施形態１、２、３のものとしてもよい。
〔実施形態７〕
図９は、この発明の実施形態の接触式水分検知器Ｗの全体斜視図である。
【００２９】
この実施形態３の接触式水分検知器Ｗと上記実施形態１のそれとは、ほとんどが同じ構成であるが、装置本体１の一端部の形状及び検知部２において相違している。
【００３０】
すなわち、この実施形態７では、装置本体１の一端部を略三角形の板状に形成しており、その底辺と対応する面に各４本のプラス接点20とマイナス接点21を交互に一列に配列している。そして、水分検知表示手段３であるＬＥＤ30を装置本体１の周壁面に９０°間隔で配置させ、使用時において２個のＬＥＤ30が視認し得るようにしている。
【００３１】
したがって、この発明の基本的機能を有している他、実施形態５のものと比較して、被検知部表面が一定の水分率以上にあるか否かを広い範囲で判断でき、また、コンパクトである。
〔実施形態８〕
上記実施形態１〜７の接触式水分検知器Ｗにおいて採用されている図３に示された電気回路を、図１１に示された電気回路にかえることができる。
【００３２】
図３に示された電気回路を採用したものでは、被検知部表面における検知可能な水分率部分を約０．０５秒以上かけて通過したときには視覚的に又は／及び聴覚的に判断するための手段（ＬＥＤ30、ブザー31）がその通過に要した時間だけＯＮ状態となり、作業者（測定者）は確実に検知結果を認識することができる。
【００３３】
しかし、作業者が接触式水分検知器Ｗを素早く移動させる等により、上記検知可能な水分率部分の通過に要した時間が０．０５秒未満である場合、ブザー31の音が小さく且つ鳴る時間が短い（ＬＥＤ30の場合は表示時間が短い）のでそれを認識できないような事態が発生する。
【００３４】
この実施形態で示した図１１の電気回路は、たとえ上記検知可能な水分率部分の通過に要した時間が０．０５秒未満である場合でも作業者が確実に検知結果を認識できるように、ＩＣチップ90及びこれに外付けされた積分回路（可変抵抗91とコンデンサ92から成る）から構成された１安定マルチバイブレータ回路ＭＶ（非正弦波発生回路）を具備させてある。この電気回路では可変抵抗91の抵抗値を変えることにより出力の時間制御が行えるようになっている。例えば、検知可能な水分率部分の通過に要した時間が０．０５秒未満である場合でも０．１秒〜１．０秒程度ＬＥＤ97、ブザー98を出力状態にできる。したがって、接触式水分検知器Ｗの移動速度や検知可能な水分率の範囲の大小にかかわらず、作業者は確実に検知結果を認識できることになる。
【００３５】
なお、図１１中、符号20, 21は接点、符号93は水分検知感度調整用の可変抵抗93、符号94は出力増幅用のアンプ94、符号95はメインスイッチ、符号96はメインスイッチがＯＮ状態にあるときに点灯するＬＥＤ、符号97は被検知部表面における水分を検知してから１安定マルチバイブレータ回路ＭＶで設定された時間だけ点灯するＬＥＤ、符号98は被検知部表面における水分を検知してから１安定マルチバイブレータ回路ＭＶで設定された時間だけ音を発するブザーを示している。
〔その他の実施形態について〕
実施形態１ではプラス接点20とマイナス接点21は交互に且つ六角形状に配置してあるが、これに限定されることなく、プラス接点20とマイナス接点21が交互に隣合う配置であり且つ正四角形、正八角形、正偶数角形、円形状の配置であればよい。
【００３６】
この実施形態では、水分検知表示手段３は被検知部表面が一定以上の水分率であるか否かを、瞬時に視覚的に判断するためのＬＥＤ30と、瞬時に聴覚的に判断するためのブザー31とから構成されているが、これに限定されることなく、どちらか一方でもよい。
【００３７】
他方、上記実施形態１〜４の接触式水分検知器Ｗの一端に棒状の持ち手を着脱自在に取り付ける構成としてもよく、また、図10に示すように、接触式水分検知器Ｗの一端に部材Ｂを介して持ち手Ａを取り付け、持ち手Ａと接触式水分検知器Ｗとを部材Ｂを介して折り畳めるようにしてもよい。
【００３８】
さらに、上記した全ての実施形態では、水分検知表示手段３であるＬＥＤ30を装置本体１の周壁面に１２０°間隔で配置させてあるが、ＬＥＤ30の配置は１８０°間隔以下であれば使用時においてどの方向からでも視認し得る。また、スイッチ８の端部にＬＥＤ30を設けた場合、一つのＬＥＤ30で使用時においてどの方向からでもそれを視認し得る。
【００３９】
【発明の効果】
この発明は上記のような構成であるから次の効果を有する。
【００４０】
発明の実施の形態の欄の内容から明らかなように、▲１▼被検知部表面に一定以上の水分率の場所があるか否かが瞬時に判断でき、▲２▼使用者に対する装置本体の方向、及び被検知部表面に対する装置本体の姿勢があまり拘束されない接触式水分検知器を提供できた。
【図面の簡単な説明】
【図１】この発明の実施形態１の接触式水分検知器の全体斜視図。
【図２】前記接触式水分検知器のプラス接点、マイナス接点、水分検知表示手段のＬＥＤ、電源用表示手段を構成するＬＥＤの配置を示す図。
【図３】前記接触式水分検知器に使用されている電気回路の図。
【図４】この発明の実施形態２の接触式水分検知器の一端部の斜視図。
【図５】この発明の実施形態３の接触式水分検知器の全体斜視図。
【図６】この発明の実施形態４の接触式水分検知器の一端部の斜視図。
【図７】この発明の実施形態５の接触式水分検知器の全体斜視図。
【図８】この発明の実施形態６の接触式水分検知器の全体斜視図。
【図９】この発明の実施形態７の接触式水分検知器の全体斜視図。
【図１０】その他の実施形態の接触式水分検知器の全体斜視図。
【図１１】他の実施形態の電気回路の図。
【図１２】図１１の電気回路を構成する１安定マルチバイブレター回路の説明図。
【符号の説明】
１        装置本体
２        検知部
３        水分検知表示手段
４        電源用表示手段
５        電源
20        プラス接点
21        マイナス接点
ＭＶ      １安定マルチバイブレータ回路（非正弦波発生回路）
【図１】
0003635465.tif 000002
【図２】
0003635465.tif 000003
【図３】
0003635465.tif 000004
【図４】
0003635465.tif 000005
【図５】
0003635465.tif 000006
【図６】
0003635465.tif 000007
【図７】
0003635465.tif 000008
【図８】
0003635465.tif 000009
【図９】
0003635465.tif 000010
【図１０】
0003635465.tif 000011
【図１１】
0003635465.tif 000012
【図１２】
0003635465.tif 000013